(57)【特許請求の範囲】
【請求項１】
原稿の画像を読み取る画像読取部と、
該画像読取部の下方に間隔を置いて配置され、記録部材に画像を形成する画像形成部と
、
を備えた画像形成装置において、
前記画像読取部と前記画像形成部との間の空間部に、前記画像形成部から排出される記
録部材に第１の処理を施す第１の後処理装置と記録部材に第２の処理を施す第２の後処理
装置が着脱可能に配置され、
前記画像形成部から前記第１の後処理装置又は前記第２の後処理装置へ記録部材が排出
される排出部が設けられるとともに、前記空間部には、前記第１の後処理装置を配置可能
な配置空間を隔てて前記第２の後処理装置が設けられ、
前記第１の後処理装置と前記第２の後処理装置は第１のロック手段によって、前記第２
の後処理装置と装置本体部は第２のロック手段によってそれぞれ固定され、
これら第１及び第２のロック手段は直線的に同一平面上に配置され、
前記配置空間には、前記第１の後処理装置を省略して前記第２の後処理装置が配置され
、又は、前記第２の処理とは異なる後処理を行う後処理装置が選択的に装着され、
前記空間部には、ガイド部材が配置され、
前記第２の後処理装置はこのガイド部材によって前記排出部から離間した状態で移動可
能に支持され、
前記第１の後処理手段は前記配置空間に前記ガイド部材と干渉しないように装着されて
いることを特徴とする画像形成装置。
【請求項２】
請求項１記載の画像形成装置において、
前記ガイド部材が一対のガイドレールからなり、
前記第２の後処理装置は前記ガイドレールに沿って移動可能に支持され、
前記第１の後処理装置は前記ガイドレールに対して前記配置空間で着脱可能に支持され
ることを特徴とする画像形成装置。
【請求項３】
請求項２記載の画像形成装置において、
前記第１の後処理装置は前記第２の後処理装置とは独立して移動可能に支持されている
ことを特徴とする画像形成装置。
【請求項４】
請求項１ないし３のいずれか１項に記載の画像形成装置において、
前記ガイド部材の一端に位置決め部材が、他端に前記排出部から挿入された固定部材が
挿入される穴を備え、
前記ガイド部材の一端に対応する前記排出部には位置決め部材が嵌合される嵌合穴が形
成されていることを特徴とする画像形成装置。
【請求項５】
請求項２ないし４のいずれか１項に記載の画像形成装置において、
前記画像形成部の上面、及び前記第２の後処理装置の前記ガイド部材に沿って移動する
際の前面を覆うようにカバー部材を備えたことを特徴とする画像形成装置。
【請求項６】
請求項５記載の画像形成装置において、
前記カバー部材は、前記第１の後処理装置の有無により前記画像形成部の上面を覆う長
さが異なることを特徴とする画像形成装置。
【請求項７】
請求項６記載の画像形成装置において、
前記カバー部材の長さは複数枚の長さの異なる部材の組み合わせにより設定されること
を特徴とする画像形成装置。
【請求項８】
請求項１ないし７のいずれか１項に記載の画像形成装置において、
前記第２の後処理装置と装置本体部とを電気的に接続する第１のコネクタ手段と、
前記第２の後処理装置と前記第１の後処理装置とを電気的に接続する第２のコネクタ手
段と、
前記第１の後処理装置と装置本体部とを電気的に接続する第３のコネクタ手段と、
を備え、これら第１ないし第３のコネクタ手段が直線的に同一平面上に配置されているこ
とを特徴とする画像形成装置。
【請求項９】
請求項１ないし８のいずれか１項に記載の画像形成装置において、
前記第２の後処理装置が伸縮可能なトレイを備え、
前記第２の後処理装置の前記配置空間のスライド量が前記トレイの最大伸長長さと最小伸縮長さの差分よりも小さく設定されていることを特徴とする画像形成装置。
【請求項１０】
請求項９記載の画像形成装置において、
前記第１の後処理装置の有無に応じて前記スライド量を規制する規制手段を備えている
ことを特徴とする画像形成装置。
【請求項１１】
請求項９又は１０記載の画像形成装置において、
前記第２の後処理装置は、前記トレイの下側に配置され、当該第２の後処理装置と共に
移動するカバーを備え、
前記カバーの先端部は前記トレイの先端部よりも前記第２の後処理装置から離れた位置
に位置することを特徴とする画像形成装置。
【発明の詳細な説明】
【技術分野】
【０００１】
本発明は、複写機、ファクシミリ、プリンタ、あるいはこれらの機能を複合して有するデジタル複合機などの画像形成装置に関する。
【背景技術】
【０００２】
昨今、複写機、プリンタなどの画像形成装置の分野では省スペース化が進み、装置本体の側面から用紙を排出するタイプのものから、例えば特許文献１に示すように、画像形成部の上面、あるいは画像形成部の上面と読み取り部（スキャナ部）下方の空間に用紙を排出するタイプが主流となってきている。一方、ユーザの要望も多様化し、ステープル綴りのような綴じ処理にとどまらずパンチングや折りたたみといった後処理を行う後処理装置の要求も高まってきている。その他、関連する技術として、例えば特許文献２及び３に記載された発明も公知である。
【特許文献１】特開２００２−２４７２６２号公報
【特許文献２】特開２００６−１７８０１１号公報
【特許文献３】特開２００２−２４７２６２号公報
【発明の開示】
【発明が解決しようとする課題】
【０００３】
このような状況では、画像形成装置の装置本体側面にコンソールタイプの後処理装置を連結し、画像形成装置から用紙を受け取り、後処理装置で複数の後処理を行うように設定することは、設置性が良く、取り扱い性にも優れていることは明らかである。しかし、省スペース化のために、前記したような画像形成部の上面と読み取り部の下面との空間に排紙する、所謂胴内排紙タイプの画像形成装置に、上述したような複数の後処理装置を組み込む場合には、前記空間の狭さから機器そのもの大きさに制限があり、構成そのものの小型化が問題となる。
【０００４】
さらに、狭い区間に複数の組み合わせの後処理装置を組み込むと、設置性、ジャム除去性を含む操作性に問題が生じることは否めない。
【０００５】
本発明は斯かる点に鑑みてなされたもので、本発明が解決すべき課題は、胴内排紙の限られた空間であっても操作性を考慮した多様な後処理を可能となることにある。
【課題を解決するための手段】
【０００６】
前記目的を達成するため、本発明は、原稿の画像を読み取る画像読取部と、該画像読取部の下方に間隔を置いて配置され、記録部材に画像を形成する画像形成部と、を備えた画像形成装置において、前記画像読取部と前記画像形成部との間の空間部に、前記画像形成部から排出される記録部材に第１の処理を施す第１の後処理装置と記録部材に第２の処理を施す第２の後処理装置が着脱可能に配置され、前記画像形成部から前記第１の後処理装置又は前記第２の後処理装置へ記録部材が排出される排出部が設けられるとともに、前記空間部には、前記第１の後処理装置を配置可能な配置空間を隔てて前記第２の後処理装置が設けられ、前記第１の後処理装置と前記第２の後処理装置は第１のロック手段によって、前記第２の後処理装置と装置本体部は第２のロック手段によってそれぞれ固定され、これら第１及び第２のロック手段は直線的に同一平面上に配置され、前記配置空間には、前記第１の後処理装置を省略して前記第２の後処理装置が配置され、又は、前記第２の処理とは異なる後処理を行う後処理装置が選択的に装着され、前記空間部には、ガイド部材が配置され、前記第２の後処理装置はこのガイド部材によって前記排出部から離間した状態で移動可能に支持され、前記第１の後処理手段は前記配置空間に前記ガイド部材と干渉しないように装着されていることを特徴とする。
【００１９】
後述の実施の形態において、画像読取部は読み取り部Ａに、画像形成部は作像部Ｂに、排出部は排紙コロ１００１に、第１の後処理装置はパンチユニット１０５０に、第１の後処理装置は後処理装置（綴じ装置）１０１５に、第１及び第２のロック手段はフック１０１９に、第１のコネクタ手段はコネクタのメス型１０１６に、第２のコネクタ手段はコネクタのオス型１０１７に、位置決め部材は位置決め用のピン１０１１ａ、１０１１ｂに、固定部材は固定ねじ１０１２、１０１３に、カバー部材はカバー１０２０、１０２５、１２０１〜１２０３にそれぞれ対応する。
【発明の効果】
【００２０】
本発明によれば、画像読取部と画像形成部との限られた空間であっても多様な後処理を提供することができる。
【発明を実施するための最良の形態】
【００２１】
以下、図面を参照し、本発明の実施形態について説明する。
【実施例１】
【００２２】
図１は本発明の実施例１に係る画像形成装置の一例を概略的に示す図で、（ａ）は装置本体を左側面から見た正面図、（ｂ）はその右側面図（装置正面を示す図）である。作図上、前述のように正面図と側面図、あるいは後述の平面図としているが、装置自体は図１（ａ）が装置の正面となる。従って、装置について右、左と称する場合には、図１（ｂ）の状態に対してユーザが対向したときの相対的な方向を指している。
【００２３】
同図において、この画像形成装置は、上部には原稿の画像を読み取る読み取り部Ａが、その下方には前記読み取り部Ａで読み取られた画像情報に従って作像を行う作像部Ｂが、作像部Ｂの下方に作像部Ｂに転写用の用紙を供給するための給紙部Ｃがそれぞれ設けられている。さらに、読み取り部Ａと作像部Ｂとに挟まれた部分には排紙コロ１００１より排紙された用紙が積載される積載部Ｄが設けられ、読み取り部Ａの上方には、読み取るべき原稿を１枚ずつ送り出す自動原稿給紙装置１００４が設けられている。読み取り部Ａは原稿を光学的に読み取る周知の読み取り装置で構成され、作像部Ｂも周知の電子写真方式やインクジェット方式によって用紙に画像を形成する。
【００２４】
積載部Ｄには用紙のスタック性の向上を図るために筐体Ｅのカバーを兼ねた本体トレイ１００２が配置されている。本体トレイ１００２によりカバーされた筐体Ｅの一部であるステー１００６には、後述するように後処理装置を装着するためのガイドレールを固定するためのレール固定穴１００７が穿設されている。さらに、積載部Ｄの奥側には筐体Ｅを隠すべく奥カバー１００５が設けられており、この奥カバー１００５で隠された筐体Ｅには後述するパンチユニットを固定するためのパンチ固定穴１００８が予め穿設されている。
【００２５】
図２は図１の画像形成装置に後処理装置を設置するため本体トレイ及び奥カバーを取り除いた状態で示す図で、（ａ）は装置本体を左側面から見た正面図、（ｂ）はその右側面図（装置正面を示す図）（ｃ）は読み取り部より上を取り除いて示す平面図である。以下、三面図について同様である。
【００２６】
図示するように、図１の状態から本体トレイ１００２及び奥カバー１００５を取り外すと、レール固定穴１００７及びパンチ固定穴１００８が露出する。なお、図２（ｂ）及び（ｃ）に示されている矢印は装置正面から見た方向を示すもので、Ｘは装置正面から見て前後方向、Ｙは左右方向、Ｚは上下方向を示している。
【００２７】
図３は画像形成装置にガイドレールを固定する機構を示す図である。  
ガイドレールは、図３（ｃ）に示すように、積載部（胴内空間）Ｄの装置正面に対して手前側に位置する手前レール１０１１と、奥側に位置する奥レール１０１０とから構成され、図３の積載部Ｄの左右方向に延びている。これら手前レール１０１１と奥レール１０１０は夫々断面がコの字型に形成されている。また、図３（ｂ）に示すように、手前レール１０１１の先端部には上下に間隔を置いて２つの位置決め用のピン１０１１ａ、１０１１ｂがカシメられ、その反対側にはねじ固定用の穴（図示しない）が穿設されている。図示していないが、奥レール１０１０も同様に位置決め用のピン１０１０ａ、１０１０ｂがカシメられ、その反対側にはねじ固定用の穴が穿設されている。
【００２８】
ガイドレールの取り付けは、まず装置本体の左側より手前レール１０１１を挿入し、先端部の位置決め用のピン１０１１ａ、１０１１ｂをステー１００６に穿設されたレール固定穴１００７に嵌合する。次にステー１００６に穿設されたレール固定穴１００７から固定ねじ１０１２をねじ固定用の穴に挿入して固定する。奥レール１０１０も同様にして、位置決め用のピン１０１０ａ、１０１０ｂをステー１００６のレール固定穴１００７に嵌合し、ステー１００６に穿設されたレール固定穴１００７から固定ねじ１０１３をねじ固定用の穴に挿入して固定する。
【００２９】
この実施例１では、装置本体のステー１００６に穴を開けてガイドレールのピン１０１１ａ、１０１１ｂ、１０１０ａ、１０１０ｂを嵌合させているが、積載部Ｄの近傍に別途取り付け用のステーを後付けし、このステーに嵌合するようにしても良い。
【００３０】
図４は後処理装置の組み込みを説明するための図である。  
後処理装置１０１５の底部には、手前レール１０１１のコの字型の内部に装着され、転動するコロ１０２１ａ、１０２１ｂを回転自在に支持する取り付け部１０２１と、奥レール１０１０に同じく装着され転動するコロ１０２２ａ、１０２２ｂを回転自在に支持する取り付け部１０２２が設けられている。また、この取り付け部は手前側取り付け部１０２１に対して奥側取り付け部１０２２が図２で示したＹ方向に延長されている。なお、この実施例でいう後処理装置１０１５は綴じ装置である。以下、後処理装置１０１５を綴じ装置１０１５として説明する。
【００３１】
まず、綴じ装置１０１５は装置本体の左側面よりコロ１０２１ａと１０２２ａをレール１０１０と１０１１上のコの字状の部分の内部で転動するように挿入する。その後、綴じ装置１０１５に取り付けられて一体的に移動するカバー１０２０の下側よりアクセスし、固定板１０２３を奥レール１０１０部分に挿入し、装置本体の左側面にねじ１０２３ａで固定する。この固定板１０２３により、綴じ装置１０１５が左側へ脱落することがなくなる。また、固定板１０２３と奥側取り付け部１０２２が干渉することによって綴じ装置１０１５の移動距離に制限を設けることができる。カバー１０２０は図２で取り外した本体トレイ１００２で覆い隠していた作像部Ｂの上面を隠すものである。
【００３２】
綴じ装置１０１５は、装着する場合は装置本体に対して移動可能であるが、装着後は装置本体に固定される。すなわち綴じ装置１０１５にはフック１０１９が取り付けられており、このフック１０１５は筐体Ｅに取り付けられている固定部１０１８に係止することによりロックされる。固定部１０１８はコの字型のブラケット１０１８ａと軸１０１８ｂで構成される。フック１０１９はフック部１０１９ａと軸１０１９ｂとレバー１０１９ｃで構成され、フックは図示せぬスプリングでロック方向に付勢されている。なお、本体と綴じ装置１０１５との電気的な接続は、一般的なドロアコネクタで行われ、筐体Ｅ側にはコネクタのオス型１０１７が配置され、綴じ装置１０１５側にはコネクタのメス型１０１６が配置されている。この綴じ装置１０１５には、伸縮可能な収納式トレイ１１０１が取り付けられている。
【実施例２】
【００３３】
図５及び図６は積載部Ｄに綴じ装置に加えてパンチユニットを設けた実施例２を示す図である。図５は積載部Ｄにパンチユニットを組み込む状態を示す図で、これらの図では（ｃ）は読み取り部より上を取り除いて示している。
【００３４】
実施例２においても、図３までで説明したガイドレールの取り付けまでは実施例１と同様である。実施例２では、その後、綴じ装置１０１５を取り付けるのではなく、まずパンチユニット１０５０を取り付ける。図５（ａ）に示すように、パンチユニット１０５０を奥側に装着したとき、筐体Ｅに穿設されたパンチ固定穴１００８と相対するように、上下方向に間隔を置いてピン１０５０ａ、１０５０ｂを設けておく。そしてこれらピン１０５０ａ、１０５０ｂをパンチ固定穴１００８に挿入する。挿入後パンチユニット１０５０の手前側は、排紙ローラ１００１近傍にある本体の筐体部分（図示なし）にねじ１０５１により固定される。なお、パンチユニット１０５０は図示したようにガイドレール１０１０、１０１１の上方に設置され、ガイドレール１０１０、１０１１とは全く干渉しないようになっている。また、図ではガイドレール１０１０、１０１１の上方に設けられているが、ガイドレール１０１０、１０１１の間に設置してガイドレール１０１０、１０１１と干渉しないように設置することも可能である。
【００３５】
一方、パンチユニット１０５０には本体側にドロアコネクタのメス型（図示していない）が設けられており、パンチユニット装着時には筐体Ｅ側のコネクタのオス型１０１７に直列的に接続される。このとき各々のコネクタは図２で示すｘ−ｚで平面上の同一位置に配置されることにより、パンチユニット１０５０の有無でいずれかのコネクタ位置を変更する必要がなくなる。また、パンチユニット１０５０の奥側には、図４に示す固定部１０１８が設けられている。この固定部１０１８は、後述するように綴じ装置１０１５に連接するためのものであり、図６に示すように綴じ装置１０１５を連結せず、綴じ装置１０１５とパンチユニット１０５０との間に間隙を設けて装着する場合は不要である。
【００３６】
次に図６に示すように、綴じ装置１０１５を積載部Ｄに組み込む。組み込み方法は前記したとおりであるが、この場合、固定板１０２３の取り付け位置を手前レール１０１１側とし、パンチユニット１０５０が配置されたことでスライド量が減少してしまうことを取り付け部１０２１の長さを変えることで防止している。また、綴じ装置１０１５の設置位置がパンチユニット１０５０の有無で変化してしまうので、図４のカバー１０２０と図６のカバー１０２５とは長さを変える必要がある。
【００３７】
以上のように構成することにより、綴じ装置１０１５のみならず、パンチユニット１０５０も画像形成装置の排紙部と綴じ装置１０１５の間に配置可能となる。
【実施例３】
【００３８】
図７はパンチユニットもガイドレールによって装着する実施例３を示す図である。  
この実施例３においては、パンチユニット１０５０の底部にも、綴じ装置１０１５の底部に設けたコロ１０２１ａ、１０２１ｂと同様にコロ１０２６ａ、１０２６ｂで構成されたコロ部１０２６を前後に設けている。これらコロ１０２６ａ、１０２６ｂをガイドレールに内で転動するように、筐体Ｅの左側面から挿入する。次に綴じ装置１０１５を組み込むことになる。その他、綴じ装置１０１５の構成は実施例２と同様なので説明は省略する。
【実施例４】
【００３９】
前述の実施例１と実施例２あるいは実施例３では、綴じ装置１０１５の設置位置がパンチユニット１０５０の有無で変化してしまうので、カバー１０２０あるいは１０２５の長さは変化する。そこで、図８に示す第４の実施例では、長さの異なる２種類のカバーを設けている。図８は長さの異なるカバーを備えた状態を示す装置正面図で、（ａ）は綴じ装置とパンチユニットを設置した場合を、（ｂ）は綴じ装置のみ設置した場合をそれぞれ示している。
【００４０】
すなわち、図８（ａ）に示すように、綴じ装置１０１５とパンチユニット１０５０とを設置した場合はＬｐの長さのカバー１１０１で作像部Ｂ上を覆うようにする。一方、図８（ｂ）に示すように、綴じ装置１０１５のみを設置する場合は（ａ）の場合より長いＬの長さカバー１１０２で作像部Ｂ上を覆うようにする。このように、それぞれに対応したＬｐ、Ｌの長さを持つカバーを取り付け可能にして、カバーの長さ変化に対応すれば良い。その他の構成は図７で示した実施例３と同等に構成されている。
【実施例５】
【００４１】
図９に示す実施例５では、長さの異なるカバーを単独で使用し、あるいは連結して使用するようになっている。図９は綴じ装置とパンチユニットを設置した場合のカバーの状態を示す装置正面図である。
【００４２】
この実施例５においては、綴じ装置１０１５とパンチユニット１０５０とを装着したときに必要とする長さＬｐに相当する長さのカバー１１０１と、パンチユニット１０５０を装着しない場合、上記長さＬｐのカバー１１０１では不足する長さである長さＬ２のカバー１１０３とを用意しておく。そして、綴じ装置１０１５とパンチユニット１０５０とを装着したときには、長さＬｐのカバー１２０１を使用する。パンチユニット１０５０を装着しないときには、長さＬｐのカバー１２０１に長さＬ２のカバー１２０３を連結して使用する。その他の構成は図７で示した実施例３と同等に構成されている。
【実施例６】
【００４３】
前述のように綴じ装置１０１５には、伸縮可能な収納式トレイ１１０１が取り付けられているが、綴じ装置１０１５の設置位置によっては、収納式トレイ１１０１の先端が壁などの障害物に当たる可能性がある。そこで、図１０に示す実施例６では収納式トレイ１１０１の長さを規定している。図１０は第６の実施例における収納式トレイの状態を示す装置正面図で、（ａ）は綴じ装置のみを装着した場合、（ｂ）は綴じ装置とパンチユニットを装着した場合を示している。
【００４４】
すなわち、綴じ装置１０１５が固定位置にあって、収納式トレイ１１０１を最大に延ばした状態と収納した状態の位置の差Ｌ５を、綴じ装置１０１５の移動量Ｌ４より小さくしている。これにより、収納トレイ１１０１を引き出し可能な空間に設置でき、綴じ装置１０１５をスライドさせた場合にも収納トレイ１１０１のベーストレイが直接、壁等の障害物に衝突することを防止できる。その他の構成は図７で示した実施例３と同等に構成されている。
【実施例７】
【００４５】
図１１に示す実施例７においては、収納トレイ１１０１のスライド量をパンチユニットの有無に応じて規制している。図１１は実施例７における収納式トレイの状態を示す装置正面図で、（ａ）は綴じ装置のみを装着した場合、（ｂ）は綴じ装置とパンチユニットを装着した場合を示している。
【００４６】
すなわち、綴じ装置１０１５の移動量Ｌ６は、綴じ装置１０１５のみを装着した場合（図１１（ａ））より、パンチユニット１０５０も装着した場合は短くなる。そこでパンチユニット１０５０を装着したときは、綴じ装置１０１５の移動量を長さの異なる固定板１０２３を手前レール１０１１と奥レール１０１０に取り付け、あるいは取り付け位置をレールの所望の位置に設定して移動範囲を規制する。固定板１０２３の長さや装着位置を複数個所に設定することにより、規制位置を複数設定することも可能である。
【実施例８】
【００４７】
図１２に示す実施例８においては、作像部Ｂの上面を隠すカバーで収納式トレイ１１０１を保護している。図１２は実施例８における収納式トレイとカバーの関係を示す図である。
【００４８】
すなわち、収納式トレイ１１０１のスライドトレイをベーストレイに最大収納したときのベーストレイの先端の位置が、作像部Ｂの上面を隠すカバー１２０５の先端よりＬ９程度右側に位置させている。これにより、収納式トレイ１１０１のベーストレイより先に比較的強度を確保できるカバーが壁などの障害物に衝突するため、収納式トレイ１１０１の破損を防止できる。
【実施例９】
【００４９】
図１３は綴じ装置１０１５とパンチユニット１０５０の２つを装着する場合の配置例を示す図で、（ａ）は図７に示す実施例３の配置例を示し、（ｂ）は実施例９における配置例を示している。
【００５０】
すなわち、図１３（ａ）に示すように、実施例３ではパンチユニット１０５０を筐体Ｅの側面に接するように配置し、綴じ装置１０１５はパンチユニット１０５０から間隔を置いて配置しているが、処理装置１０１５とパンチユニット１０５０はコロによってガイドレールに沿って移動可能である。そこで実施例９では、図１３（ａ）に示すように、パンチユニット１０５０を筐体Ｅの側面から離すように配置し、綴じ装置１０１５はパンチユニット１０５０に連接するように配置している。このように、処理装置１０１５とパンチユニット１０５０はコロで移動可能に支持することにより、使用状況に合った配置に設定することができる。
【００５１】
以上のように本実施形態によれば、
１）パンチユニットの有無にかかわらず共通のレールを使用でき、設置も容易である。  
２）パンチユニットの有無にかかわらずロック機構の付け直しの必要がない。  
３）パンチユニットの有無にかかわらずドロアコネクタの付け直しの必要がない。  
４）パンチユニットの有無にかかわらず共通のレールを使用でき、ねじ止め等によるパンチユニットの固定の必要もない。  
５）パンチユニットと綴じ装置の間のパンチユニットと本体排紙部の間にそれぞれ空間を確保することが可能となり、ジャム除去性等の操作性の向上を図ることができる。  
６）パンチユニットの有無にかかわらず共通のレールを使用でき、設置が容易に行える。加えて、ねじ止め等によるパンチユニットの固定の必要がないので、さらに設置の容易性を向上させることができる。  
７）ガイドレール取り付けに際して積載部の空間（胴内空間）内での作業を軽減することが可能となり、設置性の向上を図ることができる。  
８）設置状態ではレール取り付け用のねじがカバーによって自動的に隠すことができ、複雑なカバー構成が不要となる。  
などの効果がある。
【図面の簡単な説明】
【００５２】
【図１】本発明が適用される画像形成装置の一例を概略的に示す図である。
【図２】本体トレイ及び奥カバーを取り除いた状態で示す図である。
【図３】画像形成装置にガイドレールを固定する機構を示す図である。
【図４】綴じ装置の組み込みを説明するための図である。
【図５】実施例２における積載部にパンチユニットを組み込む状態を示す図である。
【図６】図５の状態に綴じ装置を加えた状態を示す図である。
【図７】実施例３における綴じ装置とパンチユニットを組み込む状態を示す図である。
【図８】実施例４におけるカバーの状態を示す側面図である。
【図９】実施例５におけるカバーの状態を示す側面図である。
【図１０】実施例６における収納式トレイの状態を示す側面図である。
【図１１】図１１は実施例７における収納式トレイの状態を示す側面図である。
【図１２】実施例８における収納式トレイとカバーの関係を示す図である。
【図１３】綴じ装置とパンチユニットの２つを装着する場合の配置例を示す図である。
【符号の説明】
【００５３】
１００１  排紙コロ
１００７  レール固定穴
１０１０  奥レール
１０１１  手前レール
１０１１ａ、１０１１ｂ  位置決め用のピン
１０１２、１０１３  固定ねじ
１０１５  後処理装置（綴じ装置）
１０１６  コネクタのメス型
１０１７  コネクタのオス型
１０１９  フック
１０２０、１０２５、１２０１〜１２０３  カバー
１０２１ａ、１０２１ｂ、１０２２ａ、１０２２ｂ  コロ
１０２１  取り付け部
１０２２  奥側取り付け部  
１０５０  パンチユニット
１１０１  収納式トレイ
Ａ  読み取り部
Ｂ  作像部
Ｄ  積載部
Ｅ  筐体
【図１】
0004929107.tif 000002
【図２】
0004929107.tif 000003
【図３】
0004929107.tif 000004
【図４】
0004929107.tif 000005
【図５】
0004929107.tif 000006
【図６】
0004929107.tif 000007
【図７】
0004929107.tif 000008
【図８】
0004929107.tif 000009
【図９】
0004929107.tif 000010
【図１０】
0004929107.tif 000011
【図１１】
0004929107.tif 000012
【図１２】
0004929107.tif 000013
【図１３】
0004929107.tif 000014